(57)【要約】      （修正有）【課題】無線基地局において、ベースバンド信号処理部のどの機能部で障害が発生しているかを検出できるようにする。【解決手段】異常が発生した機能部からの異常報告後にその機能部のインターフェイスを停止させ、インターフェイスの停止により異常を検出させることで、ベースバンド信号処理部のどの機能部が異常であるかを容易に認識できるようにする。【選択図】図１
2007049560.tif 000002
【特許請求の範囲】
【請求項１】
チャネル管理部と変調・復調部と符号化・複合化部と拡散・逆拡散部を含む機能部を有するベースバンド信号処理部と、
ベースバンド処理部の各機能部を制御するベースバンド信号処理部と、
ベースバンド制御部が異常を検出したときに障害情報を書き込む障害ログ記憶部を備えた無線基地局装置であって、
各機能部のいずれか１つの機能部において障害が発生した場合は、チャネル管理部に異常の報告を行い、その後チャネル管理部とのインターフェイスを停止させ、チャネル管理部は当該インターフェイスの停止により障害が発生した機能部を検出し、ベースバンド制御部へ報告を行い、その後ベースバンド信号処理部とのインターフェイスを停止させ、ベースバンド信号処理部がインターフェイスの停止によりベースバンド信号処理部のどの機能部で障害が発生したかを検出し、当該障害発生した機能部の障害情報を障害ログ記憶部に書き込むことを特徴とした無線基地局装置。
【発明の詳細な説明】
【技術分野】
【０００１】
本発明は、無線基地局装置のベースバンド信号処理部の異常検出機能に関する。
【背景技術】
【０００２】
従来の無線基地局装置のベースバンド処理部１の異常検出について、図４と図５を用いて説明を行う。ベースバンド信号処理部１は、図４に示すように、チャネル管理部２、変調・復調部３、符号化・複合化部４、拡散・逆拡散部５からなり、ベースバンド制御部６の指示により、各処理を行う。ここで、変調・復調部３、符号化・複合化部４、拡散・逆拡散部５のいずれかの機能部が異常状態になった場合は、異常状態に陥った機能部がチャネル管理部２とのインターフェイスを停止させ、チャネル管理部２にインターフェイスの停止を検出させ、各処理部で発生している異常状態を検出していた。
【０００３】
例えば、図５に示すように、仮に変調・復調部３に異常が発生した場合には、チャネル管理部２とのインターフェイスの停止を行い、チャネル管理部２にインターフェイスの停止を検出させることで、機能部の異常を検出させ、更にベースバンド制御部６とのインターフェイスを停止させることでベースバンド信号処理部１が異常状態になったことをベースバンド制御部６に検出させ、障害ログ７に書き込む処理をし、その障害ログ７を端末８からアクセスすることで、障害の認識を行っていた。
しかし、チャネル管理部２はインターフェイスの停止しか検出しておらず、どの機能部で障害が発生しているかを検出することができず、ベースバンド制御部６へ異常のみを報告するため、ベースバンド信号処理部１のどの機能部が異常になったのか詳細が不明であった。
【特許文献１】特開２００５−７３０５２
【発明の開示】
【発明が解決しようとする課題】
【０００４】
上述したように、従来の無線基地局では、チャネル管理部はインターフェイスの停止しか検出しておらず、どの機能部で障害が発生しているかを検出することができず、ベースバンド制御部へ異常のみを報告するため、ベースバンド信号処理部のどの機能部が異常になったのか詳細が不明であった。
【課題を解決するための手段】
【０００５】
本発明は、チャネル管理部と変調・復調部と符号化・複合化部と拡散・逆拡散部を含む機能部を有するベースバンド信号処理部と、べースバンド処理部の各機能部を制御するベースバンド信号処理部と、ベースバンド制御部が異常を検出したときに障害情報を書き込む障害ログ記憶部を備えた無線基地局装置であって、各機能部のいずれか１つの機能部において障害が発生した場合は、チャネル管理部に異常の報告を行い、その後チャネル管理部とのインターフェイスを停止させ、チャネル管理部は当該インターフェイスの停止により障害が発生した機能部を検出し、ベースバンド制御部へ報告を行い、その後ベースバンド信号処理部とのインターフェイスを停止させ、ベースバンド信号処理部がインターフェイスの停止によりベースバンド信号処理部のどの機能部で障害が発生したかを検出し、当該障害発生した機能部の障害情報を障害ログ記憶部に書き込むことを特徴とすることで、従来問題であった、どの機能部で障害が発生したかを容易に認識できるようにする。
【発明の効果】
【０００６】
本発明の無線基地局装置では、どの機能部が異常であるかを容易に認識できるため、異常に対して迅速に対応できるようになる。また、異常の情報をより詳細にすることで、どの機能部でどのような障害が発生したかを詳細に見ることもできるようになり、異常に対してより迅速に対応ができるようになる。
また、異常報告後にインターフェイスを停止させ、インターフェイスの停止により異常を検出させることで、ノイズ等による報告データのデータ化けが発生した場合でも誤検出が起きないという効果を有する。
【発明を実施するための最良の形態】
【０００７】
本発明について図１、図２、図３を用いて説明を行う。本発明の構成も従来のベースバンド信号処理部と同様であるため、説明を省略する。また、従来技術と同様の箇所については同一符号を付して説明する。
【０００８】
本実施例では、ベースバンド信号処理部１の機能部である変調・復調部３に異常があった場合について説明を行う。図１に示すように、変調・復調部３で異常があった場合には、変調・復調部３が、チャネル管理部２に変調・復調部３でどのようなに異常が発生したかを異常情報として報告する。
【０００９】
次に図２に示すように、変調・復調部３はチャネル管理部２とのインターフェイスを停止させ、チャネル管理部２は変調・復調部３に異常が発生したことを検出する。チャネル管理部２は、変調・復調部３で発生した異常情報をベースバンド制御部６に報告を行う。
【００１０】
次に図３に示すように、チャネル管理部２は報告を行った後に、ベースバンド制御部６とのインターフェイスを停止させる。ベースバンド制御部６は、このインターフェイスの停止により、ベースバンド信号処理部１の機能部である変調・復調部３で異常が発生したことを検出し、障害ログ７に情報を書き込む。その後、端末８を用いて障害ログ７にアクセスすることで障害情報を確認することができ、どの機能部がどのような異常になったかを検出することができる。
また、各機能部からチャネル管理部２へ報告する情報を詳細にすることで、どの機能部でどのような異常が発生しているかを容易に認識することも可能である。
【００１１】
本実施例では、変調・復調部３についての説明を行ったが、この処理はベースバンド信号処理部１の各機能部で異常が発生した場合は、どの機能部でも同様の処理をすることとする。
【００１２】
本発明は以上のような処理を行うことによって、どの機能部が異常であるかを容易に認識できるため、異常に対して迅速に対応できるようになる。また、異常の情報をより詳細にすることで、どの機能部でどのような障害が発生したかを詳細に見ることもできるようになり、異常に対してより迅速に対応ができるようになる。
また、異常報告後にインターフェイスを停止させ、インターフェイスの停止により異常を検出させることで、ノイズ等による報告データのデータ化けが発生した場合でも誤検出が起きないという効果を有する。
【図面の簡単な説明】
【００１３】
【図１】本発明の異常検出の処理１
【図２】本発明の異常検出の処理２
【図３】本発明の異常検出の処理３
【図４】従来のベースバンド信号処理部の構成
【図５】従来の異常検出の処理
【符号の説明】
【００１４】
１：ベースバンド信号処理部、２：チャネル管理部、３：変調・復調部、４：符号化・複号化部、５：拡散・逆拡散部、６：ベースバンド制御部（CPU）、７：ログ情報、８：端末
【図１】
2007049560.tif 000003
【図２】
2007049560.tif 000004
【図３】
2007049560.tif 000005
【図４】
2007049560.tif 000006
【図５】
2007049560.tif 000007